(57)【要約】【課題】裁断したシート状部材を分離して搬送することができ、シート状部材の汚染も抑制できる、シート状部材の裁断装置および画像形成装置を提供する。【解決手段】裁断装置７０は、記録用紙Ｐ１の水平縁部を挟んで記録用紙Ｐ１を第一搬送経路ＦＸ方向に搬送する第一搬送ロール対７１と、記録用紙Ｐ１の水平縁部分を切断して記録用紙Ｐ２とする第一カッター機構８１と、切断された水平縁部分を水平縁収容容器８５に搬出搬送する第三搬送ロール対７３と、記録用紙Ｐ２の垂直縁部分を挟んで記録用紙Ｐ２を第二搬送経路ＦＹ方向に搬送する第四搬送ロール対７４と、記録用紙Ｐ２の垂直縁部分を切断する第二カッター機構８２と、切断された垂直縁部分を挟んで垂直縁収容容器８６に排出する第五搬送ロール対７５と、を備えている。【選択図】図２
2008073819.tif 000002
【特許請求の範囲】
【請求項１】
シート状部材を所定形状に裁断する裁断装置であって、
前記シート状部材の切除される縁部分を支持して当該シート状部材を搬送する搬送手段と、
前記搬送手段による前記シート状部材の搬送に伴って前記縁部分を切断する切断手段と、
前記切断手段によって切断された前記縁部分を所定位置に排出搬送する搬出手段と、
を備えることを特徴とするシート状部材の裁断装置。
【請求項２】
前記搬送手段は、
上下のロール部材が前記シート状部材の切除される縁部分の移動経路を挟んで配置された搬送ロール対と、
前記搬送ロール対を構成する前記ロール部材の少なくとも一方を回転駆動する回転駆動手段と、
を備えることを特徴とする請求項１に記載のシート状部材の裁断装置。
【請求項３】
前記切断手段は、
上下のロール部材が各々回転軸によって回転可能に支持されて前記シート状部材の切除される縁部分の移動経路を挟んで配置された切断機構ロール対と、
前記各々の回転軸に支持された上丸刃と下丸刃とが両者の刃先を所定量重合させて配置された丸刃対カッターと、
を備えることを特徴とする請求項１または２のいずれかに記載のシート状部材の裁断装置。
【請求項４】
前記切断機構ロール対の少なくとも一方のロール部材を回転駆動する回転駆動手段をさらに備え、当該切断機構ロール対が前記搬送手段を構成することを特徴とする請求項３に記載のシート状部材の裁断装置。
【請求項５】
記録媒体シートに画像を形成する画像形成部と、
前記画像形成部によって画像形成された前記記録媒体シートを所定形状に裁断する裁断機構と、を備え、
前記裁断機構は、
前記記録媒体シートの一方の辺の切除される縁部分を支持して当該一方の辺に沿う方向に当該記録媒体シートを搬送する第一の搬送手段と、
前記第一の搬送手段による前記記録媒体シートの搬送に伴って前記一方の辺の縁部分を切断する第一の切断手段と、
前記第一の切断手段によって切断された前記一方の辺の縁部分を所定位置に搬出する第一の搬出手段と、
前記記録媒体シートの前記一方の辺と交差する他方の辺の切除される縁部分を支持して当該他方の辺に沿う方向に当該記録媒体シートを搬送する第二の搬送手段と、
前記第二の搬送手段による前記記録媒体シートの搬送に伴って前記他方の辺の縁部分を切断する第二の切断手段と、
前記第二の切断手段によって切断された前記他方の辺の縁部分を所定位置に搬出する第二の搬出手段と、
を備えることを特徴とする画像形成装置。
【発明の詳細な説明】
【技術分野】
【０００１】
本発明は、シート状部材の裁断装置および画像形成装置に関する。
【背景技術】
【０００２】
たとえば、印刷物等のシート状部材を切り離す用紙切断装置は知られている。（特許文献１参照）。
特許文献１には、剪断歯により搬送方向に直交する方向に裁断する横方向細断機構と、回転歯により搬送方向に沿って用紙を裁断する縦方向細断機構とを備え、用紙の２方向の裁断を行う構成が開示されている。
【０００３】
【特許文献１】特開２００３−７１７８５号公報
【発明の開示】
【発明が解決しようとする課題】
【０００４】
ところで、シート状部材を裁断する場合、裁断した両側のシートが混合しないように分離して搬送する必要がある。たとえば、シート状部材の縁部分を裁断して所定形状に裁断するような場合には、切断された縁部分が、裁断後の定形シートの搬送路に入り込んで搬送不良を招来したり、定形シートの排出部に紛れ込んだりすることのない構成が望まれる。
また、たとえば、画像形成装置によって画像形成した記録用紙の縁部分を、裁断装置によって裁断（切断除去）して周囲に余白のない(縁なし)画像とすることがある。そのような裁断装置では、形成された画像を汚すことのないように記録用紙を搬送して裁断する構成が望まれる。
本発明は、裁断したシート状部材を分離して搬送することができ、シート状部材の汚染も抑制できる、シート状部材の裁断装置および画像形成装置を提供することを目的とする。
【課題を解決するための手段】
【０００５】
かかる目的を達成するために、本発明のシート状部材の裁断装置は、シート状部材を所定形状に裁断する裁断装置であって、シート状部材の除去される縁部分を支持してシート状部材を搬送する搬送手段と、搬送手段によるシート状部材の搬送に伴って縁部分を切断する切断手段と、切断手段によって切断された縁部分を所定位置に排出搬送する搬出手段と、を備えることを特徴とする。
【０００６】
ここで、搬送手段は、上下のロール部材がシート状部材の除去される縁部分の移動経路を挟んで配置された搬送ロール対と、搬送ロール対を構成するロール部材の少なくとも一方を回転駆動する回転駆動手段と、を備えることを特徴とすることができる。
また、切断手段は、上下のロール部材が各々回転軸によって回転可能に支持されてシート状部材の除去される縁部分の移動経路を挟んで配置された切断機構ロール対と、各々の回転軸に支持された上丸刃と下丸刃とが両者の刃先を所定量重合させて配置された丸刃対カッターと、を備えることを特徴とすることができる。
さらに、切断機構ロール対の少なくとも一方のロール部材を回転駆動する回転駆動手段をさらに備え、切断機構ロール対が搬送手段を構成することを特徴とすることができる。
【０００７】
本発明の画像形成装置は、記録媒体シートに画像を形成する画像形成部と、画像形成部によって画像形成された記録媒体シートを所定形状に裁断する裁断機構と、を備え、裁断機構は、記録媒体シートの一方の辺の除去される縁部分を支持して一方の辺に沿う方向に記録媒体シートを搬送する第一の搬送手段と、第一の搬送手段による記録媒体シートの搬送に伴って一方の辺の縁部分を切断する第一の切断手段と、第一の切断手段によって切断された一方の辺の縁部分を所定位置に搬出する第一の搬出手段と、記録媒体シートの一方の辺と交差する他方の辺の除去される縁部分を支持して他方の辺に沿う方向に記録媒体シートを搬送する第二の搬送手段と、第二の搬送手段による記録媒体シートの搬送に伴って他方の辺の縁部分を切断する第二の切断手段と、第二の切断手段によって切断された他方の辺の縁部分を所定位置に搬出する第二の搬出手段と、を備えることを特徴とすることができる。
【発明の効果】
【０００８】
請求項１のシート状部材の裁断装置によれば、搬送手段は汚染を抑制してシート状部材を搬送し、搬出手段は切断手段が切断した縁部分を所定位置に排出搬送することができる。
請求項２のシート状部材の裁断装置によれば、搬送ロール対が縁部分を支持してシート状部材の汚染を抑制して搬送することができる。
請求項３のシート状部材の裁断装置によれば、切断機構ロール対が縁部分を支持してカッターで縁部分を切断することができる。
請求項４のシート状部材の裁断装置によれば、切断機構ロール対が縁部分を支持してシート状部材の汚染を抑制して搬送することができる。
請求項５の画像形成装置によれば、画像形成部が画像形成した記録媒体シートを、搬送手段が汚染を抑制して搬送し、切断手段が縁部分を切断し、この切断された縁部分を搬出手段が所定位置に排出搬送することができる。
【発明を実施するための最良の形態】
【０００９】
以下、添付図面を参照して、本発明を実施するための最良の形態(以下、実施の形態)の一構成例について詳細に説明する。
図１は、本発明の実施の形態が適用された画像処理複合機１の概略構成図である。
図１に示す画像処理複合機１は、画像形成装置２と、原稿読取装置３とから構成されている。
画像形成装置２は、いわゆるタンデム型のカラー画像形成装置であって、電子写真方式によって各色成分のトナー像を形成する複数の画像形成ユニット１０(１０Ｙ，１０Ｍ，１０Ｃ，１０Ｋ)と、トナー容器１７（１７Ｙ，１７Ｍ，１７Ｃ，１７Ｋ）と、中間転写ベルト２０とを備えている。また、中間転写ベルト２０上のトナー像を、シート状部材である記録媒体シートとしての記録用紙Ｐ上に転写する二次転写部４０と、記録用紙Ｐ上にトナー像を定着する定着装置５０とを備えている。
さらに、用紙トレイ６１に収容された記録用紙Ｐを二次転写部４０に搬送すると共に、二次転写部４０から定着装置５０に搬送する記録用紙搬送系６０と、定着装置５０によって定着された記録用紙Ｐを所定形状に裁断する裁断装置７０とを備えている。
この実施の形態では、裁断装置７０を除く上記各構成部（すなわち上記画像形成ユニット１０，トナー容器１７，中間転写ベルト２０，二次転写部４０，定着装置５０，および記録用紙搬送系６０等）が、本発明における画像形成部を構成しているものである。
【００１０】
各画像形成ユニット１０は、図中矢印方向に回転する感光体ドラム１１を各々備えている。各感光体ドラム１１の周囲には、イエローのトナー像を形成する画像形成ユニット１０Ｙに代表して示すように、その回転方向に沿って、感光体ドラム１１を帯電させる帯電器１２と、感光体ドラム１１上に静電潜像を書込むレーザ露光装置１３と、感光体ドラム１１上の静電潜像をトナーにより可視像化する現像装置１４と、感光体ドラム１１上に形成されたトナー像を中間転写ベルト２０に転写する一次転写ロール１５と、感光体ドラム１１上の残留トナーを除去するドラムクリーナ１６等の電子写真用デバイスが順次配設されている。各画像形成ユニット１０は、図中矢印で示す中間転写ベルト２０の移動方向上流側から、イエローのトナー像を形成する画像形成ユニット１０Ｙ，マゼンタのトナー像を形成する画像形成ユニット１０Ｍ，シアンのトナー像を形成する画像形成ユニット１０Ｃ，黒のトナー像を形成する画像形成ユニット１０Ｋの順で並列に配置されている。
【００１１】
トナー容器１７は、イエロー(Ｙ)，マゼンタ(Ｍ)，シアン(Ｃ)，黒(Ｋ)の各色と対応してそれぞれ設けられており、それぞれ収容するトナーを必要に応じて画像形成ユニット１５の画像形成部１５Ａの現像装置に補給する。
【００１２】
中間転写ベルト２０は、所定幅および長さの無端ベルトであって、駆動ロール２１と、いくつかのテンションロールと、二次転写部４０のバックアップロール４２とに掛け回されて、各画像形成ユニット１０の図中上側に各画像形成ユニット１０を廻る経路で周回可能に設けられている。駆動ロール２１は図示しないモータにより回転駆動されるようになっており、中間転写ベルト２０はこの駆動ロール２１によって図中矢印で示す方向に周回駆動されるようになっている。
【００１３】
各画像形成ユニット１０の一次転写ロール１５は、中間転写ベルト２０を挟んで各画像形成ユニット１０の感光体ドラム１１と対峙して位置している。これらの一次転写ロール１５にはトナーの帯電極性と逆極性の電圧が印加され、その電位差によって感光体ドラム１１上に形成されたトナー像を中間転写ベルト２０に転写する。
また、中間転写ベルト２０を挟んで、バックアップロール４２と対峙する位置に二次転写ロール４１が設けられている。これら二次転写ロール４１とバックアップロール４２とで二次転写部４０を構成している。二次転写ロール４１にはトナーの帯電極性と逆極性（正極性）の電圧が印加され、これによって中間転写ベルト２０の保持したトナー像を記録用紙Ｐに転写する。
【００１４】
記録用紙搬送系６０は、二組の用紙トレイ６１（第一用紙トレイ６１Ａ，第二用紙トレイ６１Ｂ）と、それぞれの用紙トレイ６１Ａ，６１Ｂに対して設けられたピックアップロール６２Ａ，６２Ｂと、捌きロール対６３Ａ，６３Ｂおよび搬送ロール対６４Ａ，６４Ｂとを備えている。また、レジストロール対６５と、経路切り替えシュート６６と、第一排出ロール対６７と、第二排出ロール対６８とを備えている。さらに、排紙トレイ９２を備えている。
第一用紙トレイ６１Ａと第二用紙トレイ６１Ｂとには、異なる種類の記録用紙（記録シート）Ｐ（ＰＡ，ＰＢ）が収容される。本実施の形態では、第一用紙トレイ６１Ａにはハガキサイズの記録用紙ＰＡが、第二用紙トレイ６１ＢにはＡ３サイズの記録用紙ＰＢがそれぞれ収容されるようになっている。なお、第一用紙トレイ６１Ａに収容される記録用紙ＰＡは、その表面（トナー画像が転写される面）にトナーの基材を構成する樹脂と同系統の樹脂で構成される受像層を有し、後述する二次定着装置５２によって高光沢処理が可能なものである。
そして、記録用紙搬送系６０は、用紙トレイ６１に収容された記録用紙Ｐを二次転写部４０に搬送すると共に、二次転写部４０から定着装置５０に搬送し、さらに、定着装置５０から裁断装置７０または排紙トレイ９２に搬送する。
【００１５】
定着装置５０は、記録用紙Ｐにトナー像を定着する一次定着装置５１と、この一次定着装置５１による一次定着後の記録用紙Ｐにさらに高光沢処理を施す二次定着装置５２とを備えている。
一次定着装置５１は、いわゆる熱ロール定着装置であって、加熱される加熱ロールに加圧ロールが所定の圧力で圧接されて構成され、トナー像が転写された記録用紙Ｐを加圧ロールによって加熱ロールに圧接してトナーを溶融させて固定（定着）する。
【００１６】
二次定着装置５２は、平滑な表面で無端状に形成された定着ベルト５２Ａと、この定着ベルト５２Ａを張架する加熱ロール５２Ｂと、定着ベルト５２Ａを挟んで加熱ロール５２Ｂに圧接された加圧ロール５２Ｃとを備えている。また、定着ベルト５２Ａの裏面側に接触して配置されたヒートシンク５２Ｄと、搬送ロール対５２Ｅとを備えている。
加熱ロール５２Ｂは、所定の温度に加熱されると共に図示しない駆動源によって回転駆動されるようになっており、巻回する定着ベルト５２Ａを加熱すると共に周回駆動する。
そして、二次定着装置５２は、一次定着装置５１によってトナー像が一次定着された記録用紙ＰＡを、加圧ロール５２Ｃによって定着ベルト５２Ａに押圧する。これにより、加熱ロール５２Ｂからの熱と圧力によってトナー像を記録用紙ＰＡの受像層に埋没させると共に、記録用紙ＰＡの画像面に定着ベルト５２Ａの表面の平滑性を転写して高い光沢の画像面とする。その後、定着ベルト５２Ａに密着した状態で搬送される記録用紙ＰＡを、ヒートシンク５２Ｄにより強制的に冷却し、定着ベルト５２Ａから剥離させて搬送ロール対５２Ｅによって、裁断装置７０に向けて送り出す。
【００１７】
ここで、記録用紙搬送系６０の経路切り替えシュート６６は、一次定着装置５１による一次定着後に記録用紙Ｐ（ＰＡ，ＰＢ）を排紙トレイ９２まで搬送する経路と、一次定着後の記録用紙ＰＡをさらに二次定着装置５２に搬送する経路とに切り替えるようになっている。つまり、本実施の形態では、経路切り替えシュート６６は、第一用紙トレイ６１Ａに収容された記録用紙ＰＡを用いて光沢仕上げとする場合に、二次定着装置５２側に切り替えられ、その他の場合には排紙トレイ９２側とされる。
【００１８】
裁断装置７０は、二次定着装置５２から送り出された記録用紙ＰＡを受け取って、その四辺の縁部分を所定幅で切断除去して縁なしの所定形状とし、その備える排紙トレイ９１へと排出する。この裁断装置７０については、後に詳述する。
【００１９】
そして、上記のように構成された画像形成装置２は、下記のごとく作用して記録用紙Ｐ上に画像を形成する。
すなわち、駆動ロール２１によって周回駆動される中間転写ベルト２０上に、各画像形成ユニット１０にて形成された各色成分のトナー像を、それぞれ一次転写ロール１５の作用で順次転写(一次転写)する。そして、中間転写ベルト２０上に保持された重ね画像を、記録用紙搬送系６０によって搬送される記録用紙Ｐに、二次転写部４０で一括転写(二次転写)する。その後、この記録用紙Ｐに二次転写された画像を定着装置５０で定着させて排紙する。
【００２０】
第一用紙トレイ６１Ａと第二用紙トレイ６１Ｂの何れに収容されている記録用紙に画像形成を行うかは、使用者の指示または形成する画像に応じて自動的に設定される。そして、用いる記録用紙に応じて、記録用紙搬送系６０の経路切り替えシュート６６によって記録用紙Ｐの搬送方向を切り替える。
すなわち、第二用紙トレイ６１Ｂに収容された記録用紙ＰＢに画像形成する際には、一次定着装置５１による一次定着後に、記録用紙ＰＢを排紙トレイ９２に排出する。一方、第一用紙トレイ６１Ａに収容された記録用紙ＰＡに画像形成する際には、一次定着装置５１による一次定着後の記録用紙ＰＡを、さらに二次定着装置５２に搬送する。
そして、二次定着装置５２によって搬送された記録用紙ＰＡに対して高光沢処理を施し、その記録用紙ＰＡの四辺の縁部分を裁断装置７０で切断して縁無しの所定形状に裁断し、排紙トレイ９１へと排出するものである。
【００２１】
つぎに、本発明の主要部分である裁断装置７０について説明する。
図２は裁断装置７０の構成を概念的に示す平面図、図３は図２のＡ−Ａ断面図、図４は図２のＢ−Ｂ断面図である。また、図５はカッターの拡大図である。
図２中矢印（ＦＸ，ＦＹ）は記録用紙Ｐ（Ｐ１，Ｐ２，Ｐ３）の搬送経路（方向）を示している。搬送経路は、一方の辺に沿う方向である第一搬送経路ＦＸと、この第一搬送経路ＦＸと同一平面で略直角に交差する他方の辺に沿う方向である第二搬送経路ＦＹとから構成されている。第一搬送経路ＦＸと第二搬送経路ＦＹの交差部位は、搬送方向を転換する転向部ＦＣとなっている。
そして、裁断装置７０は、縁部分切断前の記録用紙Ｐ１を、第一搬送経路ＦＸで転向部ＦＣまで搬送しつつ搬送方向（ＦＸ）と平行な両側の縁部分（以下水平縁と称する）を切断して記録用紙Ｐ２とし、さらに転向部ＦＣから第二搬送経路ＦＹで搬送しつつ搬送方向（ＦＹ）と平行な両側の縁部分（以下垂直縁と称する）を切除して縁なしの所定形状に裁断された記録用紙Ｐ３とする。
【００２２】
第一搬送経路ＦＸには、その上流側から下流側に向けて、記録用紙Ｐ１を第一搬送経路ＦＸ方向に搬送する第一の搬送手段としての第一搬送ロール対７１と、第一搬送経路ＦＸと平行な記録用紙Ｐの両水平縁を切断する第一の切断手段としての切断機構ロール対である第一カッター機構８１と、第二搬送ロール対７２と、切断された水平縁部分を第一搬送経路ＦＸ方向へと排出搬送する第一の搬出手段としての第三搬送ロール対７３とが順番に配置されている。第一搬送経路ＦＸの最も下流側には、切断された水平縁部分を収容する水平縁収容容器８５が設けられている。
【００２３】
第二搬送経路ＦＹには、その上流側（転向部ＦＣ）から下流側に向けて、記録用紙Ｐ２を第二搬送経路ＦＹ方向に搬送する第二の搬送手段としての第四搬送ロール対７４と、第二搬送経路ＦＹと平行な記録用紙Ｐ２の両垂直縁を切断する第二の切断手段としての切断機構ロール対である第二カッター機構８２と、切断された垂直縁部分を第二搬送経路ＦＹ方向へと排出搬送する第二の搬出手段としての第五搬送ロール対７５とを備えている。第二搬送経路ＦＹの最も下流側には、四辺の縁部分が切断されて所定形状に裁断された記録用紙Ｐ（Ｐ３）を収容する排紙トレイ９１と、切断された垂直縁部分を収容する垂直縁収容容器８６とが設けられている。
【００２４】
第二搬送ロール対７２，第三搬送ロール対７３および第四搬送ロール対７４は、転向部ＦＣに設けられている。
第三搬送ロール対７３は、転向部ＦＣにおいて第一搬送経路ＦＸから第二搬送経路ＦＹに方向転換して搬送される記録用紙Ｐとの干渉を避けるために、搬送経路平面より下側に配置されている。
排紙トレイ９１は、この排紙トレイ９１に至るまでの第一搬送経路ＦＸおよび第二搬送経路ＦＹの記録用紙Ｐの搬送経路平面より下側に配置されており、第二カッター機構８２による垂直縁部分の切除によって裁断が終了した記録用紙Ｐ３はそれまでの搬送経路平面から下側に向きを変えてこの排紙トレイ９１に排出されるようになっている。
【００２５】
また、記録用紙Ｐの搬送制御情報とするために記録用紙の位置を検知する用紙位置センサ８３が、第一搬送経路ＦＸの第一カッター機構８１と第二搬送ロール対７２との間の、幅方向中央下面側に設けられている。
なお、裁断装置７０の駆動制御は、画像処理複合機１（図１参照）の図示しない制御装置によって行われ、用紙位置センサ８３による記録用紙Ｐの検知情報はこの制御装置に入力されるようになっている。
【００２６】
以下、裁断装置７０におけるこれらの構成について詳細に説明する。
第一搬送ロール対７１と、第三搬送ロール対７３と、第四搬送ロール対７４と、第五搬送ロール対７６とは、同様な構成となっている。すなわち、シャフトの両端にそれぞれロール部材としてのロール７０ｒを備える回転軸としてのロール軸７０Ｓ（上ロール軸７０ＳＵ，下ロール軸７０ＳＬ）が、記録用紙Ｐの水平方向の搬送経路を挟んで上下に配置されて構成されている。つまり、ロール７０ｒで搬送経路の記録用紙Ｐを挟むように、上ロール軸７０ＳＵと下ロール軸７０ＳＬとが上下に配置されているものである。
【００２７】
ロール軸７０Ｓに設けられたロール７０ｒは、たとえば摩擦係数の高い弾性素材（たとえばクロロプレンゴムやウレタンゴム）等によって形成されている。
下ロール軸７０ＳＬは、図示しないシャーシに上下移動不能に支持されている。また、図示しないモータ等の回転駆動手段と駆動機構を介して連繋されて、回転駆動されるようになっている。回転駆動手段は、図示しない制御装置によって駆動制御される。
上ロール軸７０ＳＵは、図示しないシャーシに上下方向に所定量移動可能に支持され、図示しないスプリング等の付勢手段によって下ロール軸７０ＳＬに向けて押圧付勢されている。
【００２８】
このような構成により、上ロール軸７０ＳＵと下ロール軸７０ＳＬのロールが記録用紙Ｐを所定の圧力で挟み（支持し）、その挟んだ記録用紙Ｐを下ロール軸７０ＳＬの回転によって搬送するようになっている。
ここで、各ロール軸７０Ｓのロール７０ｒは、記録用紙Ｐ１の切断される縁部分を挟むようにその位置が設定されている。つまり、第一搬送ロール対７１と第三搬送ロール対７３とは、ロール７０ｒが記録用紙Ｐ１の第一搬送経路ＦＸと平行する方向の切断される水平縁部分を挟むように設定されている。また、第四搬送ロール対７４と第五搬送ロール対７５とは、ロール７０ｒが記録用紙Ｐ２の第二搬送経路ＦＹと平行する方向の切断される垂直縁部分を挟むように設定されている。
【００２９】
第一カッター機構８１と第二カッター機構８２とは、前述の第一搬送ロール対７１等と同様にロール部材としてのカッターロール８０ｒを備えた回転軸としてのカッターロール軸８０Ｓ（上カッターロール軸８０ＳＵ，下カッターロール軸８０ＳＬ）に、それぞれ丸刃対カッター８０Ｃを備えて構成されている。
丸刃対カッター８０Ｃは、図５に示すように、上カッターロール軸８０ＳＵのシャフトに設けられた上丸刃８０ＣＵと、下カッターロール軸８０ＳＬのシャフトに設けられた下丸刃８０ＣＬとの対によって構成されている。
上丸刃８０ＣＵと下丸刃８０ＣＬとは、上丸刃８０ＣＵが下丸刃８０ＣＬの刃先の外側に位置し、両者８０ＣＵ，８０ＣＬの刃先が周方向に所定量重なるように設定されている。
下丸刃８０ＣＬは、上カッターロール軸８０ＳＵに固定されている。その固定位置は、記録用紙Ｐ１，Ｐ２の縁部分Ｐｆ（図５に示す）を切断する規定位置に設定されている。
上丸刃８０ＣＵは、下カッターロール軸８０ＳＬのシャフトに回転自在に支持されると共に、スプリング８０ＣＳによって下丸刃８０ＣＬに向けて押圧付勢されている。
【００３０】
ここで、第一カッター機構８１のカッターロール８０ｒは記録用紙Ｐ１の第一搬送経路ＦＸと平行する方向の水平縁部分を挟むように設定されており、第二カッター機構８２のカッターロール８０ｒは記録用紙Ｐ２の第二搬送経路ＦＹと平行する方向の垂直縁部分を挟むように設定されている。また、両カッター機構８１，８２の下カッターロール軸８０ＳＬはそれぞれ図示しない回転駆動手段と連繋されており、その回転によって上カッターロール軸８０ＳＵと下カッターロール軸８０ＳＬのカッターロール８０ｒが挟んだ記録用紙Ｐ（Ｐ１，Ｐ２）を搬送駆動するようになっている。つまり、搬送手段も兼ねる構成となっているものである。
このような構成の第一カッター機構８１と第二カッター機構８２とは、記録用紙Ｐを搬送しつつ、その縁を上丸刃８０ＣＵと下丸刃８０ＣＬとで切断する。その切断位置は、下丸刃８０ＣＬによって規定される。
【００３１】
第二搬送ロール対７２は、上記した第一搬送ロール対７１等と、その軸方向の長さが異なる以外は同様に構成されている。すなわち、第二搬送ロール対７２を構成するロール軸７０Ｓ（上ロール軸７０ＳＵ，下ロール軸７０ＳＬ）は第一搬送ロール対７１等より軸方向の長さが短く、ロール７０ｒが記録用紙Ｐの画像面を挟むようにその位置が設定されている。
【００３２】
ここで、転向部ＦＣに配置される第二搬送ロール対７２と第四搬送ロール対７４とは、その上ロール軸７０ＳＵが、図３および図４中に矢印で示すように、上下方向に所定量移動可能となっている。そして、上ロール軸７０ＳＵのロール７０ｒが下ロール軸７０ＳＬのロール７０ｒに圧接する作用位置と、上ロール軸７０ＳＵのロール７０ｒが下ロール軸７０ＳＬのロール７０ｒから離間する退避位置との間を移動し得るようになっている。その駆動は、図示しないが駆動機構を介して連繋されたソレノイド等の駆動手段によって行われるようになっているものである。その駆動手段は、図示しない制御装置によって駆動制御される。
【００３３】
また、第一カッター機構８１のカッターロール８０ｒと第三搬送ロール対７３のロール７０ｒの間、および、第三搬送ロール対７３のロール７０ｒと水平縁収容容器８５との間の部位（第一搬送経路ＦＸの記録用紙Ｐの水平縁と対応する位置）には、切断された水平縁部分を第三搬送ロール対７３から水平縁収容容器８５に導くように支持する下支持板７６と、水平縁部分がこの下支持板７６に沿って移動するように上面側を案内する案内板７７とが設けられている。
さらに、第二カッター機構８２のカッターロール８０ｒと第五搬送ロール対７５のロール７０ｒの間、および、第五搬送ロール対７５のロールと垂直縁収容容器８６との間（第二搬送経路ＦＹの記録用紙の垂直縁と対応する位置）には、切断された垂直縁部分を垂直縁収容容器８６に導くように支持する下支持板７９が設けられている。また、第二カッター機構８２より第二搬送経路ＦＹ方向下流側の、四辺の縁部分が切断された記録用紙Ｐ３と対応する位置には、記録用紙Ｐを排紙トレイ９１に導く案内板７８が設けられている。
なお、上記各搬送ロール対７１〜７５およびカッター機構８１，８２のロールが圧接する部位を除く、記録用紙Ｐの画像部が移動する領域には、図示しないが記録用紙Ｐを支持する支持板が、適宜設けられているものである。
【００３４】
上記のごとく構成された裁断装置７０は、図示しない制御装置によって駆動制御されて下記のごとく作用し、二次定着装置５２から供給される記録用紙Ｐ１の四辺の縁部分（水平縁部分，垂直縁部分）を切断し、縁なしの所定形状に裁断して排紙トレイ９１に排出する。
図６乃至図１０はその裁断工程を説明する図である。以下、これらの図を参照して工程を説明する。なお、これらの説明図では図２に示した下支持板７６，案内板７７および下支持板７９等は煩雑さを避けるために示していない。なお、以下の説明中、図６乃至図１０に示されていない符号の構成部材については、図２乃至図５参照のこと。
【００３５】
裁断装置７０は、二次定着装置５２から供給される記録用紙Ｐ１を、図６に示すように、第一搬送ロール対７１と第一カッター機構８１との駆動によって第一搬送経路ＦＸを搬送しつつ、第一カッター機構８１によってその搬送方向と平行な両縁部分（水平縁部分Ｐｆｈ）を切断する。この第一搬送ロール対７１と第一カッター機構８１による記録用紙Ｐ１の搬送は、その水平縁部分Ｐｆｈを挟んで行う。
この状態では、第二搬送ロール対７２は作用位置とされ、第四搬送ロール対７４は退避位置とされる。
第一カッター機構８１が記録用紙Ｐ１を送り出す前（水平縁部分Ｐｆｈが完全に切り離される前）に、記録用紙Ｐ１の画像部分Ｐｇを第二搬送ロール対７２が挟んで搬送を継続し、また、水平縁部分Ｐｆｈを第三搬送ロール対７３が挟んで搬送を継続する。
【００３６】
そして、用紙位置センサ８３が記録用紙Ｐの先端を検知してから所定時間後に、記録用紙Ｐを搬送する第一搬送ロール対７１，第一カッター機構８１および第二搬送ロール対７２の駆動を停止させ、第三搬送ロール対７３の駆動のみを継続する。
記録用紙Ｐ２が転向部ＦＣに位置する状態では、記録用紙Ｐ２は第一カッター機構８１からは完全に送り出されており、従って、水平縁部分Ｐｆｈは画像部分Ｐｇから切り離されている。画像部分Ｐｇは第二搬送ロール対７２に挟まれ、また、切り離された水平縁部分Ｐｆｈは第三搬送ロール対７３に挟まれた状態となる。
これにより、図７に示すように、記録用紙Ｐ２は転向部ＦＣに位置し、水平縁部分Ｐｆｈは第一搬送経路ＦＸ方向に搬送されて水平縁収容容器８５に排出される。そして、図８に示すように、水平縁部分Ｐｆｈが切除された記録用紙Ｐ２のみが転向部ＦＣに位置することになる。
【００３７】
ここで、第二搬送ロール対７２を退避位置とすると共に、第四搬送ロール対７４を作用位置とし、転向部ＦＣに位置する記録用紙Ｐ２の垂直縁部分Ｐｆｖを第四搬送ロール対７４で挟み、第四搬送ロール対７４と、第二カッター機構８２と、第五搬送ロール対７５とを駆動する。これにより、図９に示すように記録用紙Ｐ２を第二搬送経路ＦＹ方向に搬送しつつ第二カッター機構８２によってその搬送方向と平行な両縁（垂直縁部分Ｐｆｖ）を切断する。
そして、図１０に示すように、両垂直縁部分Ｐｆｖが切除された（所定形状に裁断された）記録用紙Ｐ３は、案内板７８に導かれて排紙トレイ９１に排出される。一方、切断された垂直縁部分Ｐｆｖは下支持板７９に支持されて第五搬送ロール対７５に挟まれて、垂直縁収容容器８６に排出される。
【００３８】
つまり、上記のごとく構成された裁断装置７０によれば、二次定着装置５２から供給された記録用紙Ｐ１を、第一搬送ロール対７１と第一カッター機構８１とで水平縁部分Ｐｆｈを挟んで画像部分Ｐｇの汚染することなく搬送すると共に、第一カッター機構８１によって水平縁部分Ｐｆｈを切除し、切除した水平縁部分Ｐｆｈは、第三搬送ロール対７３が挟んで画像部分Ｐｇと混合することなく水平縁収容容器８５に確実に搬出する。また、水平縁部分Ｐｆｈが除去された記録用紙Ｐ２を、第四搬送ロール対７４と第二カッター機構８２とで垂直縁部分Ｐｆｖを挟んで画像部分Ｐｇを汚染することなく搬送すると共に、第二カッター機構８２によって垂直縁部分Ｐｆｖを切除し、切除した垂直縁部分Ｐｆｖは第五搬送ロール対７５が挟んで画像部分Ｐｇと混合することなく垂直縁収容容器８６に確実に搬出するものである。
【００３９】
なお、本発明は、上記のごとき実施の形態に限定されるものではなく、適宜変更可能なものである。
【図面の簡単な説明】
【００４０】
【図１】本発明の実施の形態が適用された画像処理複合機の概略構成図である。
【図２】裁断装置の構成を概念的に示す平面図である。
【図３】図２のＡ−Ａ断面図である。
【図４】図２のＢ−Ｂ断面図である。
【図５】カッターの拡大図である。
【図６】裁断装置の裁断工程を説明する図である。
【図７】裁断装置の裁断工程を説明する図である。
【図８】裁断装置の裁断工程を説明する図である。
【図９】裁断装置の裁断工程を説明する図である。
【図１０】裁断装置の裁断工程を説明する図である。
【符号の説明】
【００４１】
１…画像処理複合機、２…画像形成装置（画像形成部）、７０…裁断装置、７０ｒ…ロール（ロール部材）、７１…第一搬送ロール対（搬送手段，第一の搬送手段）、７３…第三搬送ロール対（搬出手段，第一の搬出手段）、７４…第四搬送ロール対（搬送手段，第二の搬送手段）、７５…第五搬送ロール対（搬出手段，第二の搬出手段）、８０Ｓ…カッターロール軸（回転軸）、８０ＳＵ…上カッターロール軸（回転軸）、８０ＳＬ…下カッターロール軸（回転軸）、８０ｒ…カッターロール（ロール部材）、８１…第一カッター機構（切断手段，第一の切断手段，切断機構ロール対）、８２…第二カッター機構（切断手段，第二の切断手段，切断機構ロール対）、８０Ｃ…丸刃対カッター、８０ＣＵ…上丸刃、８０ＣＬ…下丸刃、ＦＸ…第一搬送経路（一方の辺に沿う方向）、ＦＹ…第二搬送経路（他方の辺に沿う方向）、Ｐ，Ｐ１，Ｐ２，Ｐ３…記録用紙（シート状部材，記録媒体シート）、Ｐｆｈ…水平縁部分（縁部分）、Ｐｆｖ…垂直縁部分（縁部分）
【図１】
2008073819.tif 000003
【図２】
2008073819.tif 000004
【図３】
2008073819.tif 000005
【図４】
2008073819.tif 000006
【図５】
2008073819.tif 000007
【図６】
2008073819.tif 000008
【図７】
2008073819.tif 000009
【図８】
2008073819.tif 000010
【図９】
2008073819.tif 000011
【図１０】
2008073819.tif 000012